(57)【特許請求の範囲】
【請求項１】
充放電を制御するための電力変換器が設けられた二次電池と発電機とが並列に接続された電力系統に設けられ、前記発電機と前記二次電池とのそれぞれの出力電力の合計である合計出力電力を制御する出力電力制御装置であって、
前記合計出力電力を制御するための指令である合計出力電力指令を出力する合計出力電力指令出力手段と、
前記発電機の出力電力を検出する発電機出力電力検出手段と、
前記合計出力電力指令出力手段により出力された前記合計出力電力指令及び前記発電機出力電力検出手段により検出された前記発電機の出力電力に基づいて、前記二次電池の充電又は放電をする電力を制御するための指令である二次電池充放電電力指令を演算する二次電池充放電電力指令演算手段と、
前記二次電池充放電電力指令演算手段により演算された前記二次電池充放電電力指令に基づいて、前記電力変換器を制御する二次電池制御手段と、
前記合計出力電力を検出する合計出力電力検出手段と、
前記合計出力電力検出手段により検出された前記合計出力電力及び前記合計出力電力指令出力手段により出力された前記合計出力電力指令に基づいて、前記二次電池充放電電力指令演算手段により演算された前記二次電池充放電電力指令の補正をするための補正量を演算する補正量演算手段と、
前記補正量演算手段により演算された前記補正量に基づいて、前記二次電池充放電電力指令演算手段により演算された前記二次電池充放電電力指令を補正する二次電池充放電電力指令補正手段とを備え、
前記二次電池制御手段は、前記二次電池充放電電力指令補正手段により補正された前記二次電池充放電電力指令に基づいて、前記電力変換器を制御すること
を特徴とする出力電力制御装置。
【請求項２】
前記電力系統は、負荷が接続され、
前記負荷に供給される電力を検出する負荷電力検出手段を備え、
前記二次電池充放電電力指令演算手段は、前記負荷電力検出手段により検出された電力に基づいて、前記二次電池充放電電力指令を演算すること
を特徴とする請求項１に記載の出力電力制御装置。
【請求項３】
前記発電機による出力電力を、前記合計出力電力指令出力手段により出力された前記合計出力電力指令による前記合計出力電力と前記二次電池の充電可能な電力との合計の電力量と前記発電機の定格出力の電力量とを比較して少ない方の電力量に制限する発電機出力電力制限手段
を備えたことを特徴とする請求項１又は請求項２に記載の出力電力制御装置。
【請求項４】
前記合計出力電力検出手段により検出された前記合計出力電力の無効電力を演算する無効電力演算手段と、
前記合計出力電力の無効電力を制御するための指令である無効電力指令を出力する無効電力指令出力手段と、
前記無効電力演算手段により演算された無効電力及び前記無効電力指令出力手段により出力された前記無効電力指令に基づいて、前記合計出力電力の無効電力を制御するための前記電力変換器を制御する無効電力制御手段と
を備えたことを特徴とする請求項１から請求項３のいずれか１項に記載の出力電力制御装置。
【請求項５】
前記合計出力電力の電圧を検出する電圧検出手段と、
前記合計出力電力の電圧を制御するための指令である電圧指令を出力する電圧指令出力手段と、
前記電圧検出手段により検出された電圧及び前記電圧指令出力手段により出力された前記電圧指令に基づいて、前記合計出力電力の無効電力を制御するための前記電力変換器を制御する無効電力制御手段と
を備えたことを特徴とする請求項１から請求項３のいずれか１項に記載の出力電力制御装置。
【請求項６】
二次電池と、
二次電池の充放電を制御するための電力変換器と、
前記二次電池と並列に接続された発電機と、
前記発電機と前記二次電池とのそれぞれの出力電力の合計である合計出力電力を制御するための指令である合計出力電力指令を出力する合計出力電力指令出力手段と、
前記発電機の出力電力を検出する発電機出力電力検出手段と、
前記合計出力電力指令出力手段により出力された前記合計出力電力指令及び前記発電機出力電力検出手段により検出された前記発電機の出力電力に基づいて、前記二次電池の充電又は放電をする電力を制御するための指令である二次電池充放電電力指令を演算する二次電池充放電電力指令演算手段と、
前記二次電池充放電電力指令演算手段により演算された前記二次電池充放電電力指令に基づいて、前記電力変換器を制御する二次電池制御手段と、
前記合計出力電力を検出する合計出力電力検出手段と、
前記合計出力電力検出手段により検出された前記合計出力電力及び前記合計出力電力指令出力手段により出力された前記合計出力電力指令に基づいて、前記二次電池充放電電力指令演算手段により演算された前記二次電池充放電電力指令の補正をするための補正量を演算する補正量演算手段と、
前記補正量演算手段により演算された前記補正量に基づいて、前記二次電池充放電電力指令演算手段により演算された前記二次電池充放電電力指令を補正する二次電池充放電電力指令補正手段とを備え、
前記二次電池制御手段は、前記二次電池充放電電力指令補正手段により補正された前記二次電池充放電電力指令に基づいて、前記電力変換器を制御すること
を特徴とする電力系統システム。
【請求項７】
前記二次電池及び前記発電機から電力供給を受ける負荷と、
前記負荷に供給される電力を検出する負荷電力検出手段とを備え、
前記二次電池充放電電力指令演算手段は、前記負荷電力検出手段により検出された電力に基づいて、前記二次電池充放電電力指令を演算すること
を特徴とする請求項６に記載の電力系統システム。
【請求項８】
前記合計出力電力指令出力手段により出力された前記合計出力電力指令による前記合計出力電力と前記二次電池の充電可能な電力との合計の電力量と、前記発電機の定格出力の電力量とのうち少ない方の電力量に、前記発電機による出力電力を制限する発電機出力電力制限手段
を備えたことを特徴とする請求項６又は請求項７に記載の電力系統システム。
【請求項９】
前記合計出力電力検出手段により検出された前記合計出力電力の無効電力を演算する無効電力演算手段と、
前記合計出力電力の無効電力を制御するための指令である無効電力指令を出力する無効電力指令出力手段と、
前記無効電力演算手段により演算された無効電力及び前記無効電力指令出力手段により出力された前記無効電力指令に基づいて、前記合計出力電力の無効電力を制御するための前記電力変換器を制御する無効電力制御手段と
を備えたことを特徴とする請求項６から請求項８のいずれか１項に記載の電力系統システム。
【請求項１０】
前記合計出力電力の電圧を検出する電圧検出手段と、
前記合計出力電力の電圧を制御するための指令である電圧指令を出力する電圧指令出力手段と、
前記電圧検出手段により検出された電圧及び前記電圧指令出力手段により出力された前記電圧指令に基づいて、前記合計出力電力の無効電力を制御するための前記電力変換器を制御する無効電力制御手段と
を備えたことを特徴とする請求項６から請求項８のいずれか１項に記載の電力系統システム。
【発明の詳細な説明】
【技術分野】
【０００１】
本発明は、二次電池を用いた電力系統における出力電力制御装置に関する。
【背景技術】
【０００２】
従来、二次電池を利用して、電力を供給する二次電池システムが知られている。例えば、このような二次電池システムは、夜間の電力貯蔵用として用いられている（例えば、“月刊エネルギー  １月号”，日本工業新聞社，２００４年１２月２８日発売，ｐ．８２−８４参照）。【０００３】
しかしながら、二次電池システムを発電機と並列に接続して、電力を供給する電力系統において、出力電力を制御することについては知られていない。【０００４】
従って、発電電力量を一定にすることが困難な発電機と二次電池システムとを並列に接続して、電力系統を構成した場合、電力系統から出力される電力を制御することが困難である。
【発明の開示】
【０００５】
本発明の目的は、二次電池システムと発電機とを並列に接続した電力系統において、この電力系統から出力される電力を制御することのできる出力電力制御装置を提供することにある。
【０００６】
本発明の観点に従った出力電力制御装置は、充放電を制御するための電力変換器が設けられた二次電池と発電機とが並列に接続された電力系統に設けられ、前記発電機と前記二次電池とのそれぞれの出力電力の合計である合計出力電力を制御する出力電力制御装置であって、前記合計出力電力を制御するための指令である合計出力電力指令を出力する合計出力電力指令出力手段と、前記発電機の出力電力を検出する発電機出力電力検出手段と、前記合計出力電力指令出力手段により出力された前記合計出力電力指令及び前記発電機出力電力検出手段により検出された前記発電機の出力電力に基づいて、前記二次電池の充電又は放電をする電力を制御するための指令である二次電池充放電電力指令を演算する二次電池充放電電力指令演算手段と、前記二次電池充放電電力指令演算手段により演算された前記二次電池充放電電力指令に基づいて、前記電力変換器を制御する二次電池制御手段と、前記合計出力電力を検出する合計出力電力検出手段と、前記合計出力電力検出手段により検出された前記合計出力電力及び前記合計出力電力指令出力手段により出力された前記合計出力電力指令に基づいて、前記二次電池充放電電力指令演算手段により演算された前記二次電池充放電電力指令の補正をするための補正量を演算する補正量演算手段と、前記補正量演算手段により演算された前記補正量に基づいて、前記二次電池充放電電力指令演算手段により演算された前記二次電池充放電電力指令を補正する二次電池充放電電力指令補正手段とを備え、前記二次電池制御手段は、前記二次電池充放電電力指令補正手段により補正された前記二次電池充放電電力指令に基づいて、前記電力変換器を制御するものである。
【図面の簡単な説明】
【０００７】
【図１】図１は、本発明の第１の実施形態に係る電力系統システムの構成を示す構成図である。
【図２】図２は、本発明の第２の実施形態に係る電力系統システムの構成を示す構成図である。
【図３】図３は、本発明の第３の実施形態に係る電力系統システムの構成を示す構成図である。
【図４】図４は、本発明の第４の実施形態に係る電力系統システムの構成を示す構成図である。
【図５】図５は、本発明の第５の実施形態に係る電力系統システムの構成を示す構成図である。
【図６】図６は、本発明の第６の実施形態に係る電力系統システムの構成を示す構成図である。
【図７】図７は、本発明の第７の実施形態に係る電力系統システムの構成を示す構成図である。
【発明を実施するための最良の形態】
【０００８】
以下、図面を参照して、本発明の実施形態を説明する。【０００９】
（第１の実施形態）
図１は、本発明の第１の実施形態に係る電力系統システムの構成を示す構成図である。なお、以降の図における同一部分には同一符号を付してその詳しい説明を省略し、異なる部分について主に述べる。以降の実施形態も同様にして重複した説明を省略する。【００１０】
本電力系統システムは、出力電力制御装置１と、二次電池システム２と、発電機３と、変圧器４とを備えている。発電機３の出力側には、変換器Ｃｇが設けられている。本電力系統システムは、発電所としての電力系統システムである。【００１１】
二次電池システム２は、複数の二次電池ＢＴが並列に接続されている。二次電池ＢＴは、例えば、ナトリウム−硫黄電池（ＮＡＳ電池）である。二次電池システム２は、二次電池ＢＴの充放電をするための電力変換器が設けられている。二次電池システム２は、出力電力制御装置１により、電力変換器が制御されることで、出力電力が制御される。【００１２】
発電機３は、複数の発電機ＧＦがそれぞれの変圧器ＴＦを介して並列に接続されることにより構成されている。発電機ＧＦは、発電電力量を一定にすることが困難な発電機である。発電機ＧＦは、例えば風車発電機などの風力発電機である。【００１３】
変圧器４は、二次電池システム２から出力される電力Ｐｂと発電機３から出力される電力Ｐｇの合計の出力電力Ｐｔｏｔａｌを変圧し、外部の電力系統に電力を出力する。【００１４】
変換器Ｃｇは、発電機３から出力される電力量Ｐｇを信号として出力電力制御装置１に送信する。変換器Ｃｇが設けられている箇所は、電力量Ｐｇの計測点となる。【００１５】
出力電力制御装置１は、電力検出器１１と、減算器１２と、リミッタ１３とを備えている。【００１６】
電力検出器１１は、変換器Ｃｇから受信した信号に基づいて、発電機３から出力される電力量Ｐｇを演算する。電力検出器１１は、演算した電力量Ｐｇを信号Ｓｐｇとして、減算器１２に出力する。【００１７】
減算器１２には、本電力系統から電力を一定に出力させるための一定出力指令値が入力される。減算器１２には、電力検出器１１から信号Ｓｐｇが入力される。減算器１２は、一定出力指令値から信号Ｓｐｇを減算する。減算器１２により求められた値が、二次電池システム２から出力される電力Ｐｂに対する指令値の基本となる値になる。減算器１２は、求めた値を信号として、リミッタ１３に出力する。【００１８】
リミッタ１３は、減算器１２から入力された信号が正常であれば、二次電池システム２から出力される電力Ｐｂに対する指令値Ｓｂとして、二次電池システム２に送信する。リミッタ１３は、減算器１２から入力された信号が異常であれば、指令値Ｓｂを制限して、二次電池システム２に送信する。【００１９】
二次電池システム２は、リミッタ１３から入力された指令値Ｓｂに基づいて、出力電力が制御される。【００２０】
本実施形態によれば、二次電池システム２と発電機３とを並列に接続した電力系統において、この電力系統から出力される電力を一定出力指令値に一致させるように制御することができる。【００２１】
（第２の実施形態）
図２は、本発明の第２の実施形態に係る電力系統システムの構成を示す構成図である。【００２２】
本電力系統システムは、図１に示す第１の実施形態に係る電力系統システムにおいて、出力電力制御装置１を出力電力制御装置１Ａに代えて、電気所内の負荷（所内負荷）に電力を供給するための系統に変換器Ｃｌを設けている。その他の点は、第１の実施形態に係る電力系統システムと同様の構成である。【００２３】
変換器Ｃｌは、所内負荷に供給される電力量Ｐｌを信号として出力電力制御装置１に送信する。変換器Ｃｌが設けられている箇所は、電力量Ｐｌの計測点となる。【００２４】
出力電力制御装置１Ａは、図１に示す出力電力制御装置１において、電力検出器１４及び減算器１５を追加した構成である。【００２５】
電力検出器１４は、変換器Ｃｌから受信した信号に基づいて、所内負荷に供給される電力量Ｐｌを演算する。電力検出器１４は、演算した電力量Ｐｌを信号Ｓｐｌとして、減算器１５に出力する。【００２６】
減算器１５には、電力検出器１１から信号Ｓｐｇが入力される。減算器１５には、電力検出器１４から信号Ｓｐｌが入力される。減算器１５は、信号Ｓｐｇから信号Ｓｐｌを減算する。減算器１５は、求めた値を減算器１２Ａに出力する。【００２７】
減算器１２Ａには、本電力系統から電力を一定に出力させるための一定出力指令値が入力される。減算器１２Ａには、減算器１５から信号が入力される。減算器１２Ａは、一定出力指令値から減算器１５から入力された信号を減算する。減算器１２Ａにより求められた値が、二次電池システム２から出力される電力Ｐｂに対する指令値の基本となる値になる。減算器１２Ａは、求めた値を信号として、リミッタ１３に出力する。【００２８】
リミッタ１３は、減算器１２Ａから入力された信号が正常であれば、二次電池システム２から出力される電力Ｐｂに対する指令値Ｓｂとして、二次電池システム２に送信する。リミッタ１３は、減算器１２Ａから入力された信号が異常であれば、指令値Ｓｂを制限して、二次電池システム２に送信する。【００２９】
本実施形態によれば、二次電池システム２と発電機３とを並列に接続した電力系統において、所内負荷の変動を補償して、この電力系統から出力される電力を一定出力指令値に一致させるように制御することができる。【００３０】
（第３の実施形態）
図３は、本発明の第３の実施形態に係る電力系統システムの構成を示す構成図である。【００３１】
本電力系統システムは、図１に示す第１の実施形態に係る電力系統システムにおいて、出力電力制御装置１を出力電力制御装置１Ｂに代えて、変圧器４の出力側に変換器Ｃｔを設けている。その他の点は、第１の実施形態に係る電力系統システムと同様の構成である。【００３２】
変換器Ｃｔは、変圧器４から出力される電力量Ｐｔを信号として出力電力制御装置１に送信する。変換器Ｃｔが設けられている箇所は、変圧器４から出力される電力量Ｐｔの計測点となる。【００３３】
出力電力制御装置１Ｂは、図１に示す出力電力制御装置１において、電力検出器１６、減算器１７、補正制御部１８、及び加算器１９を追加した構成である。【００３４】
電力検出器１６は、変換器Ｃｔから受信した信号に基づいて、変圧器４から出力される電力量Ｐｔを演算する。電力検出器１６は、演算した電力量Ｐｔを信号Ｓｐｔとして、減算器１７に出力する。【００３５】
減算器１７には、電力検出器１６から信号Ｓｐｔが入力される。減算器１７には、本電力系統から電力を一定に出力させるための一定出力指令値が入力される。減算器１７は、一定出力指令値から信号Ｓｐｔを減算する。減算器１７は、求めた値を信号として補正制御部１８に出力する。【００３６】
補正制御部１８は、減算器１７から入力された信号に基づいて、出力電力を一定出力指令値に一致させるための一定出力指令値に対する補正値を演算する。補正制御部１８は、演算した補正値を信号として、加算器１９に出力する。【００３７】
加算器１９は、リミッタ１３の出力側に設けられている。加算器１９には、リミッタ１３からの信号が入力される。加算器１９には、補正制御部１８から補正値が信号として入力される。加算器１９は、リミッタ１３からの信号と補正制御部１８からの信号とを加算する。加算器１９により求められた値は、二次電池システム２から出力される電力Ｐｂに対する指令値Ｓｂとして、二次電池システム２に送信する。【００３８】
本実施形態によれば、二次電池システム２と発電機３とを並列に接続した電力系統において、変圧器４の損失及び所内負荷の変動を補償して、この電力系統から出力される電力を一定出力指令値に一致させるように制御することができる。【００３９】
（第４の実施形態）
図４は、本発明の第４の実施形態に係る電力系統システムの構成を示す構成図である。【００４０】
本電力系統システムは、図２に示す第２の実施形態に係る電力系統システムにおいて、出力電力制御装置１Ａを出力電力制御装置１Ｃに代えて、変圧器４の出力側に変換器Ｃｔを設けている。その他の点は、第２の実施形態に係る電力系統システムと同様の構成である。【００４１】
変換器Ｃｔは、変圧器４から出力される電力量Ｐｔを信号として出力電力制御装置１に送信する。変換器Ｃｔが設けられている箇所は、変圧器４から出力される電力量Ｐｔの計測点となる。【００４２】
出力電力制御装置１Ｃは、図２に示す出力電力制御装置１Ａにおいて、電力検出器１６、減算器１７、補正制御部１８、及び加算器１９を追加した構成である。【００４３】
電力検出器１６は、変換器Ｃｔから受信した信号に基づいて、変圧器４から出力される電力量Ｐｔを演算する。電力検出器１６は、演算した電力量Ｐｔを信号Ｓｐｔとして、減算器１７に出力する。【００４４】
減算器１７には、電力検出器１６から信号Ｓｐｔが入力される。減算器１７には、本電力系統から電力を一定に出力させるための一定出力指令値が入力される。減算器１７は、一定出力指令値から信号Ｓｐｔを減算する。減算器１７は、求めた値を信号として補正制御部１８に出力する。【００４５】
補正制御部１８は、減算器１７から入力された信号に基づいて、出力電力を一定出力指令値に一致させるための一定出力指令値に対する補正値を演算する。補正制御部１８は、演算した補正値を信号として、加算器１９に出力する。【００４６】
加算器１９は、リミッタ１３の出力側に設けられている。加算器１９には、リミッタ１３からの信号が入力される。加算器１９には、補正制御部１８から補正値が信号として入力される。加算器１９は、リミッタ１３からの信号と補正制御部１８からの信号とを加算する。加算器１９により求められた値は、二次電池システム２から出力される電力Ｐｂに対する指令値Ｓｂとして、二次電池システム２に送信する。【００４７】
本実施形態によれば、二次電池システム２と発電機３とを並列に接続した電力系統において、変圧器４の損失及び所内負荷の変動を補償して、この電力系統から出力される電力を一定出力指令値に一致させるように制御することができる。【００４８】
また、出力電力制御装置１Ｃは、所内負荷の変動を補償する回路を、変圧器４の損失を補償する回路と別構成としているため、所内負荷の変動の補償に対して、第３の実施形態より精度の高い制御をすることができる。【００４９】
（第５の実施形態）
図５は、本発明の第５の実施形態に係る電力系統システムの構成を示す構成図である。【００５０】
本電力系統システムは、図３に示す第３の実施形態に係る電力系統システムにおいて、出力電力制御装置１Ｂを出力電力制御装置１Ｄに代えている。その他の点は、第３の実施形態に係る電力系統システムと同様の構成である。【００５１】
出力電力制御装置１Ｄは、図３に示す出力電力制御装置１Ｂにおいて、減算器１７を減算器１７Ｄに代え、加算器２１Ｄ及び比較器２２Ｄを追加した構成である。【００５２】
加算器１９により求められた値は、二次電池システム２から出力される電力Ｐｂの有効電力に対する指令値Ｓｂ１として、二次電池システム２に送信する。【００５３】
加算器２１Ｄには、一定出力指令値と蓄電池充電可能電力が入力される。蓄電池充電可能電力は、二次電池システム２が充電することのできる電力量である。加算器２１Ｄは、一定出力指令値と蓄電池充電可能電力とを加算する。加算器２１Ｄは、求めた値を信号として、比較器２２Ｄに出力する。【００５４】
比較器２２Ｄには、加算器２１Ｄからの信号が入力される。比較器２２Ｄには、発電機定格出力電力が入力される。発電機定格出力電力は、発電機３の定格出力電力である。比較器２２Ｄは、加算器２１Ｄにより求められた値と発電機定格出力電力とを比較し、小さい方を求める。比較器２２Ｄは、求めた値を発電機３の出力電力の上限値に対する指令値Ｓｆとして、発電機３に送信する。【００５５】
本実施形態によれば、第３の実施形態による作用効果に加え、以下の作用効果を得ることができる。【００５６】
出力電力制御装置１Ｄは、蓄電池充電可能電力を考慮に入れて、発電機３の出力電力を抑制することで、発電機３による過剰な発電を抑止することができる。これにより、発電機３による過剰な発電を防止し、本電力系統から出力される電力を一定出力指令値に一致させるように制御することができる。【００５７】
（第６の実施形態）
図６は、本発明の第６の実施形態に係る電力系統システムの構成を示す構成図である。【００５８】
本電力系統システムは、図３に示す第３の実施形態に係る電力系統システムにおいて、出力電力制御装置１Ｂを出力電力制御装置１Ｅに代えている。その他の点は、第３の実施形態に係る電力系統システムと同様の構成である。【００５９】
出力電力制御装置１Ｅは、図３に示す出力電力制御装置１Ｂにおいて、電力検出器１６を電力検出器１６Ｅに代え、減算器２５Ｅ及び電圧制御部２６Ｅを追加した構成である。【００６０】
電力検出器１６Ｅは、変換器Ｃｔから受信した信号に基づいて、変圧器４から出力される電力量Ｐｔを演算する。電力検出器１６Ｅは、演算した電力量Ｐｔを信号Ｓｐｔとして、減算器１７に出力する。電力検出器１６Ｅは、変圧器４から出力される電力量Ｐｔの無効電力分を減算器２５Ｅに信号として出力する。【００６１】
減算器２５Ｅには、無効電力指令値が入力される。無効電力指令値は、変圧器４から出力される電力量Ｐｔのうち無効電力分を制御するための指令値である。減算器２５Ｅには、電力検出器１６Ｅから電力量Ｐｔの無効電力分の値が信号として入力される。減算器２５Ｅは、無効電力指令値から電力量Ｐｔの無効電力分を減算する。減算器２５Ｅは、求めた値を信号として電圧制御部２６Ｅに出力する。【００６２】
電圧制御部２６Ｅは、減算器２５Ｅから入力された信号に基づいて、二次電池システム２から出力される電力Ｐｂの無効電力に対する指令値Ｓｂ２として、二次電池システム２に送信する。即ち、電圧制御部２６Ｅは、二次電池システム２から出力される電力Ｐｂの無効電力分を無効電力指令値に一致させるように、二次電池システム２の出力電圧を制御する。【００６３】
本実施形態によれば、第３の実施形態による作用効果に加え、以下の作用効果を得ることができる。【００６４】
出力電力制御装置１Ｅは、本電力系統の出力電力の有効電力を一定に制御し、無効電力も一定に制御することができる。これは、二次電池システム２に設けられている蓄電池用電力変換器が有効電力と無効電力を独立に制御することができることを利用した制御である。【００６５】
例えば、出力電力制御装置１Ｅは、無効電力指令値をゼロとすることで、力率１．０として、電気所内の無効電力を補償することもできる。【００６６】
（第７の実施形態）
図７は、本発明の第７の実施形態に係る電力系統システムの構成を示す構成図である。【００６７】
本電力系統システムは、図６に示す第６の実施形態に係る電力系統システムにおいて、出力電力制御装置１Ｅを出力電力制御装置１Ｆに代えている。その他の点は、第６の実施形態に係る電力系統システムと同様の構成である。【００６８】
出力電力制御装置１Ｆは、図６に示す出力電力制御装置１Ｅにおいて、電力検出器１６Ｅを電力検出器１６に代え、減算器２５Ｅを減算器２５Ｆに代え、電圧検出器２７Ｆを追加した構成である。【００６９】
電圧検出器２７Ｆは、変換器Ｃｔから受信した信号に基づいて、変圧器４から出力される電圧量を演算する。電圧検出器２７Ｆは、演算した電圧量を信号として、減算器２５Ｆに出力する。【００７０】
減算器２５Ｆには、電圧指令値が入力される。電圧指令値は、変圧器４から出力される電圧を制御するための指令値である。減算器２５Ｆには、電圧検出器２７Ｆから電圧量の値が信号として入力される。減算器２５Ｆは、電圧指令値から電圧検出器２７Ｆから入力された電圧量を減算する。減算器２５Ｆは、求めた値を信号として電圧制御部２６Ｅに出力する。【００７１】
電圧制御部２６Ｅは、減算器２５Ｆから入力された信号に基づいて、二次電池システム２から出力される電力Ｐｂの無効電力に対する指令値Ｓｂ２として、二次電池システム２に送信する。即ち、電圧制御部２６Ｅは、二次電池システム２から出力される電力Ｐｂの無効電力分を無効電力指令値に一致させるように、二次電池システム２の出力電圧を制御する。【００７２】
本実施形態によれば、第６の実施形態と同様の作用効果を得ることができる。また、変圧器４の出力電圧を検出する構成を独立して設けているため、第６の実施形態よりも無効電力の制御の精度を高くすることができる。【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００７４】
本発明によれば、二次電池システムと発電機とを並列に接続した電力系統において、この電力系統から出力される電力を制御することのできる出力電力制御装置を提供することができる。
【図１】
0005501247.tif 000002
【図２】
0005501247.tif 000003
【図３】
0005501247.tif 000004
【図４】
0005501247.tif 000005
【図５】
0005501247.tif 000006
【図６】
0005501247.tif 000007
【図７】
0005501247.tif 000008